(57)【特許請求の範囲】
【請求項１】
表示部と、該表示部に重畳されたタッチセンサとを備え、
前記表示部には複数のキーが配列されたキーボードと入力文字または動作状態を表示するためのオブジェクトとを表示可能であって、かつ、前記複数のキーは個々に独立して配置または大きさを変更可能であって、
前記個々のキーの配置の変更はドラッグアンドドロップによって移動させることによって実行可能であり、
前記キーを移動させたときに前記オブジェクトと表示領域が重なった場合には、該移動させたキーまたは前記オブジェクトのうち上層のレイヤーにあるものを透過表示させることを特徴とするタッチパネル式携帯端末。
【請求項２】
表示部と、該表示部に重畳されたタッチセンサとを備え、
前記表示部には複数のキーが配列されたキーボードと入力文字または動作状態を表示するためのオブジェクトとを表示可能であって、かつ、前記複数のキーは個々に独立して配置または大きさを変更可能であって、
前記個々のキーの配置の変更はドラッグアンドドロップによって移動させることによって実行可能であり、
さらに前記表示部は３Ｄ表示可能であり、
前記キーを移動させたときに前記オブジェクトと表示領域が重なった場合には、該移動させたキーと前記オブジェクトを奥行きの異なるレイヤーに配置し、かつ上層のレイヤーにあるものを透過表示させることを特徴とするタッチパネル式携帯端末。
【請求項３】
表示部と、該表示部に重畳されたタッチセンサとを備え、
前記表示部には複数のキーが配列されたキーボードと入力文字または動作状態を表示するためのオブジェクトとを表示可能であって、かつ、前記複数のキーは個々に独立して配置または大きさを変更可能であって、
前記キーボードは複数枚のページからなり、
前記表示部には、前記キーを他のページに移動させる移動枠を表示可能であって、
前記個々のキーのページの移動は、該個々のキーをドラッグアンドドロップによって前記移動枠に移動させることによって実行可能であることを特徴とするタッチパネル式携帯端末。
【請求項４】
前記キーボードは複数枚のページからなり、
前記表示部には、前記キーを他のページに移動させる移動枠を表示可能であって、
前記個々のキーのページの移動は、該個々のキーをドラッグアンドドロップによって前記移動枠に移動させることによって実行可能であることを特徴とする請求項１または２に記載のタッチパネル式携帯端末。
【発明の詳細な説明】
【技術分野】
【０００１】
本発明は、表示部にタッチセンサを重畳したタッチパネルディスプレイを有するタッチパネル式携帯端末に関する。
【背景技術】
【０００２】
近年、表示部にタッチセンサを重畳したタッチパネルディスプレイを有する携帯端末、いわゆるタッチパネル式携帯端末の普及が加速している。タッチパネル式携帯端末において、タッチパネルディスプレイは、ユーザに対する情報を表示する表示部としてだけでなく、かかる表示部への接触によるユーザ入力を検知する操作部としての機能も担っている。このため、タッチパネルディスプレイには、ユーザが入力を行うためのキーボードが表示される。
【０００３】
上記のキーボードには、テンキー（数字キー）やアルファベットのキーボード、平仮名（５０音）のキーボード等がある。文字入力を行う際には、ユーザは、タッチパネルディスプレイに表示されたキーボードを構成する複数のキーのうち、入力したい文字のキーの表示部分（表示領域）に触れる。キーボードを構成する複数のキーは、それぞれタッチパネルディスプレイ上の座標情報として配置されていて、ユーザがキーの表示部分を触れることにより、抵抗膜方式（感圧方式）や静電容量方式等のタッチセンサにより触れられた座標位置が検出され、文字が入力される。
【０００４】
タッチパネルディスプレイ上でキー入力を行う場合、キーは任意の小ささで表示できるとしても、押しやすさを考慮すると、ある程度の面積が必要となる。すると必然的にディスプレイ上に表示できるキーの数が制限されてしまう。従来から少ないキーで５０音やアルファベットを入力するための工夫として、５タッチ方式、２タッチ方式（ポケベル方式）、フリック入力、Ｔ９方式などが知られている。
【０００５】
またキー入力の操作性向上のための他の手段としては、例えば特許文献１では、表示手段（画面）の角に配置された拡大／縮小キーを押すことにより、画面に表示されるキーボードを拡大状態や縮小状態に移行することが可能な携帯情報端末装置が開示されている。特許文献１によれば、タッチパネル上に表示されるキーボードサイズを変更可能であるため、キーボードを利き手側に寄せたり、またはキーボードを大きくしたりすることを選択でき、キーボードが押しやすくなり、入力操作における押し間違いを確実に減らすことができるとしている。
【先行技術文献】
【特許文献】
【０００６】
【特許文献１】特開２００２−２９７２９３号公報
【発明の概要】
【発明が解決しようとする課題】
【０００７】
特許文献１の携帯情報端末装置に限らず、従来のタッチパネル式携帯端末において表示部に表示されるキーボードは、複数のキーが所定のキー配列を有して構成されている。所定のキー配列とは、例えば電話のテンキー配列を継承していたり、タイプライターのＱＷＥＲＴＹ配列を継承していたりするものである。
【０００８】
タッチパネル式携帯端末は、利き手（持ち手）の親指で操作することが想定される。一方、タッチパネル式携帯端末は情報端末として発展する傾向にあり、ディスプレイは大型化の一途を辿っている。このため、上記所定のキー配列において、例えば複数のキーが密集して配置されていて使用頻度が高いキーが押しづらい位置に配置されていたり、使用頻度が高いキーがユーザの親指が届きにくい位置に配置されていたりすると、そのキーボードはユーザにとって使いづらいものとなる。たとえ特許文献１のようにキーボードサイズを変更できたとしても、それは入力のしやすさ（タッチしやすさ）が若干改善されただけであり、かかるキーボードのキー配列が使いづらいことに変わりはない。
【０００９】
本発明は、このような課題に鑑み、タッチパネルディスプレイにおいて個々のユーザがそれぞれ求める操作性を得ることが可能なタッチパネル式携帯端末を提供することを目的とする。
【課題を解決するための手段】
【００１０】
上記課題を解決するために本発明にかかるタッチパネル式携帯端末の代表的な構成は、表示部と、表示部に重畳されたタッチセンサとを備え、表示部には複数のキーが配列されたキーボードを表示可能であって、かつ、複数のキーは個々に独立して配置または大きさを変更可能であることを特徴とする。
【００１１】
上記の表示部には、キーボードに加えて、入力文字または動作状態を表示するためのオブジェクトを表示可能であって、個々のキーの配置の変更はドラッグアンドドロップによって移動させることによって実行可能であり、キーを移動させたときに他のキーまたはオブジェクトと表示領域が重なった場合には、移動させたキー、重なった他のキーまたはオブジェクトの位置を表示領域が重ならない位置までずらすとよい。
【００１２】
上記の表示部には、キーボードに加えて、入力文字または動作状態を表示するためのオブジェクトを表示可能であって、個々のキーの配置の変更はドラッグアンドドロップによって移動させることによって実行可能であり、キーを移動させたときにオブジェクトと表示領域が重なった場合には、移動させたキーまたはオブジェクトのうち上層のレイヤーにあるものを透過表示させるとよい。
【００１３】
上記の表示部には、キーボードに加えて、入力文字または動作状態を表示するためのオブジェクトを表示可能であって、個々のキーの配置の変更はドラッグアンドドロップによって移動させることによって実行可能であり、さらに表示部は３Ｄ表示可能であり、キーを移動させたときにオブジェクトと表示領域が重なった場合には、移動させたキーとオブジェクトを奥行きの異なるレイヤーに配置し、かつ上層のレイヤーにあるものを透過表示させるとよい。
【００１４】
上記のキーボードは複数枚のページからなり、表示部には、キーを他のページに移動させる移動枠を表示可能であって、個々のキーのページの移動は、個々のキーをドラッグアンドドロップによって移動枠に移動させることによって実行可能であるとよい。
【発明の効果】
【００１５】
本発明によれば、タッチパネルディスプレイにおいて個々のユーザがそれぞれ求める操作性を得ることが可能なタッチパネル式携帯端末を提供することができる。
【図面の簡単な説明】
【００１６】
【図１】本実施形態にかかるタッチパネル式携帯端末を説明する図である。
【図２】第１実施形態における携帯端末の表示画面を例示する図である。
【図３】第２実施形態における携帯端末の表示画面を例示する図である。
【図４】第３実施形態における携帯端末の表示画面を例示する図である。
【図５】第４実施形態における携帯端末の表示画面を例示する図である。
【図６】第５実施形態における携帯端末の表示画面を例示する図である。
【図７】キーの配置や大きさのアレンジについて説明する図である。
【図８】第６実施形態における携帯端末の表示画面を例示する図である。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１８】
図１は、本実施形態にかかるタッチパネル式携帯端末（以下、携帯端末１００と称する）を説明する図であり、図１（ａ）は携帯端末１００の外観図であり、図１（ｂ）は携帯端末１００の機能ブロック図である。なお、理解を容易にするために、以下に説明する実施形態では、携帯端末１００として携帯電話（スマートフォン）を例示するが、これに限定するものではない。本発明は、タッチパネルディスプレイを有する携帯端末であれば如何なるものにも適用可能であり、携帯端末１００は、例えばＰＨＳ端末、ノート型パーソナルコンピュータ、ＰＤＡ（Personal Digital Assistant）、ハンディＧＰＳ、ナビゲーション装置、ネットブック等であってもよい。
【００１９】
図１（ａ）に示すように、本実施形態の携帯端末１００は、ユーザに対する情報を表示し、且つ接触によりユーザ入力を検知するタッチパネルディスプレイ１１０を備える。図１（ｂ）に示すように、タッチパネルディスプレイ１１０は、表示部１１２、およびかかるタッチパネルディスプレイ１１０に重畳されたタッチセンサ１１４を含んで構成される。
【００２０】
表示部１１２は、液晶ディスプレイ（Liquid Crystal Display）、ＥＬ（Electro Luminescence）、ＰＤＰ（Plasma Display Panel）等で構成され、写真画像やアプリケーションの動作画面、通話における通話先や発信元などの情報をユーザに対して表示する。また、後述するように表示部１１２には、複数のキーが配列されて構成されるキーボード１５０（図２参照）や、入力文字または動作状態を表示するためのオブジェクト１６０（図３参照）を表示可能である。
【００２１】
タッチセンサ１１４は、透明の素材で形成され、表示部１１２にそれを視認可能に重畳されて、かかる表示部１１２への接触によるユーザ入力を検知する。これにより、タッチパネルディスプレイ１１０を、携帯端末１００へのユーザ入力を受け付ける操作部として機能させることが可能となる。タッチセンサ１１４によるユーザ入力の検知方式としては、静電容量式でもよいし、感圧式であってもよいし、これらの方式に限定されず、その他の方式でもよい。
【００２２】
上述したタッチパネルディスプレイ１１０も含め、当該携帯端末１００の動作は端末制御部１０２によって管理および制御される。詳細には、端末制御部１０２は、中央処理装置（ＣＰＵ）を含む半導体集積回路により携帯端末１００全体の機能を管理および制御し、例えば端末メモリ１０４に記憶されているプログラムを用いて通話機能やメール送受信機能等を実行する。端末メモリ１０４は、ＲＯＭ、ＲＡＭ、ＥＥＰＲＯＭ、不揮発性ＲＡＭ、フラッシュメモリ、ＨＤＤ等で構成され、端末制御部１０２で処理されるプログラムやデータ等を記憶する。
【００２３】
（第１実施形態）
次に、上記説明した携帯端末１００の特徴的な動作の第１実施形態について説明する。図２は、第１実施形態における携帯端末１００の表示画面を例示する図である。なお、本実施形態では、図２（ａ）に示す複数のキー１５０ａ〜１５０ｌの配列がキーボード１５０の所定のキー配列（初期値）であると仮定する。また本実施形態においては、キーボード１５０としてテンキーを例示しているが、これに限定するものではなく、アルファベットのキーボード、平仮名のキーボード等の他のキーボードであってもよい。
【００２４】
図２（ａ）に示すように、タッチパネルディスプレイ１１０（厳密には表示部１１２）には、複数のキー１５０ａ〜１５０ｌによって構成されたキーボード１５０が表示される。本実施形態では、この所定のキー配列で配置されている複数のキー１５０ａ〜１５０ｌのうち、任意の１または複数のキーを個々に独立して配置することができる。以下、図２（ａ）の複数のキー１５０ａ〜１５０ｌのうち、キー１５０ｋ（０キー）とキー１５０ｌ（♯キー）の配置を変更する場合を例示して説明する。
【００２５】
個々のキー１５０ａ〜１５０ｌの配置の変更は、それをドラッグアンドドロップによって移動させることによって実行することができる。例えば、まずキー１５０ｋ（０キー）の位置（配置）を変更する場合、図２（ｂ）に示すように、ユーザは、タッチパネルディスプレイ１１０（表示部１１２）のうち、そこに表示されているキー１５０ｋに該当する領域をタッチする。すると、タッチセンサ１１４において、キー１５０ｋへのユーザの接触が検知される。
【００２６】
そして、ユーザは、キー１５０ｋにタッチした状態でそれを所望の位置（図２（ｂ）中、二点鎖線で図示）にドラッグし、その位置においてドロップすると（キー１５０ｋから指を離すと）、図２（ｃ）に示すようにキー１５０ｋはユーザが所望した位置に変更される。キー１５０ｋの位置が変更されたら、制御部１０２は、図２（ｃ）に示すキーボード１５０におけるキー１５０ａ〜１５０ｌの配列の座標情報を、変更後のキー配列（以下、変更キー配列と称する）として端末メモリ１０４に記憶する。
【００２７】
次に、キー１５０ｌ（♯キー）の位置（配置）を変更する場合、図２（ｄ）に示すように、ユーザは、タッチパネルディスプレイ１１０（表示部１１２）のうち、そこに表示されているキー１５０ｌに該当する領域をタッチし、キー１５０ｌにタッチした状態でそれを所望の位置（二点鎖線で示す位置）にドラッグする。そして、その位置でキー１５０ｌをドロップすると、図２（ｅ）に示すようにキー１５０ｌもユーザが所望した位置に変更される。キー１５０ｌの位置が変更されたら、制御部１０２は、図２（ｅ）に示すキーボードにおけるキー１５０ａ〜１５０ｌの配列の座標情報を、最新の変更キー配列として端末メモリ１０４に記憶する。
【００２８】
上記説明したように、第１実施形態の構成によれば、ユーザは、キーボード１５０を構成する複数のキー１５０ａ〜１５０ｌのうち、任意の個々のキーを所望の位置に変更することができる。したがって、キーボード１５０を自分の好みのキー配列にカスタマイズ可能であるため、個々のユーザがそれぞれ自分が求める操作性を得ることができる。また変更キー配列を端末メモリ１０４に記憶させることにより、次回キーボード１５０を使用する際に、前回記憶させた変更キー配列を表示可能となるため、利便性の向上を図ることができる。
【００２９】
（第２実施形態）
図３は、第２実施形態における携帯端末１００の表示画面を例示する図である。図３（ａ）に示すように、タッチパネルディスプレイ１１０（表示部１１２）には、複数のキー１５０ａ〜１５０ｌによって構成されたキーボード１５０に加えて、入力文字や動作状態を表示するためのオブジェクト１６０が表示される。なお、図３（ｂ）に示すように、オブジェクト１６０においても、キー１５０ａ〜１５０ｌと同様にドラッグアンドドロップによって所望の位置（二点鎖線で示す位置）に移動させ、図３（ｃ）に示すように位置を変更することが可能である。
【００３０】
図３（ｄ）に示すように、ユーザは、第１実施形態において説明したように、タッチパネルディスプレイ１１０（表示部１１２）のうち、そこに表示されているキー１５０ｌに該当する領域をタッチし、キー１５０ｌにタッチした状態でそれを所望の位置（二点鎖線の位置）にドラッグアンドドロップする。すると、キー１５０ｌはオブジェクト１６０と重複した状態となる。キー１５０ｌが図３（ｄ）の二点鎖線の配置に変更されると、キー１５０ｌおよびオブジェクト１６０の互いの表示領域が重なり、オブジェクト１６０の一部がキー１５０ｌに隠れて視認しづらくなる。
【００３１】
そこで本実施形態では、キー１５０ｌが図３（ｄ）に二点鎖線で示す位置までドラッグアンドドロップされたとき、すなわちキー１５０ｌを移動させたときに、移動させたキー１５０ｌおよびオブジェクト１６０の互いの表示領域が重なったら、端末制御部１０２は、図３（ｅ）に示すように移動させたキー１５０ｌをオブジェクト１６０と重ならない位置までずらす。これにより、任意の個々のキーの配置を変更した際にオブジェクト１６０と重複することがないため、キー配列をカスタマイズしても入力時の不具合が生じることがなく、高い操作性が確保される。
【００３２】
なお、本実施形態においては、移動させたキー１５０ｌおよびオブジェクト１６０の互いの表示領域が重なったときにキー１５０ｌをずらす構成を例示したが、これに限定するものではなく、オブジェクト１６０をキー１５０ｌに重ならない位置までずらす構成としてもよい。また上記の動作は、キーとオブジェクト１６０との重複時だけでなく、移動させたキーが他のキーと重複した場合においても適用することが可能である。
【００３３】
（第３実施形態）
図４は、第３実施形態における携帯端末１００の表示画面を例示する図である。第３実施形態では、図３（ａ）に示すキーボード１５０の複数のキー１５０ａ〜１５０ｌのうち、１５０ａ〜１５０ｃ（１キー、２キー、３キー）を、ドラッグアンドドロップによって図４（ａ）において二点鎖線で示す位置まで移動させる。キー１５０ａ〜１５０ｃがこの二点鎖線の位置に変更されると、それらのキー１５０ａ〜１５０ｃとオブジェクト１６０との表示領域が重複してしまい、オブジェクト１６０の一部が視認しづらくなる。
【００３４】
そこで本実施形態では、キー１５０ａ〜１５０ｃが図４（ａ）に示す二点鎖線の位置までドラッグアンドドロップされたとき、移動させたキー１５０ａ〜１５０ｃおよびオブジェクト１６０の互いの表示領域が重なったら、端末制御部１０２は、図４（ｂ）に示すように移動させたキー１５０ａ〜１５０ｃまたはオブジェクト１６０のうち上層のレイヤーにあるもの（本実施形態においてはキー１５０ａ〜１５０ｃ）を透過表示させる。
【００３５】
上記構成により、任意の個々のキーの配置を変更した際に、移動させたキー１５０ａ〜１５０ｃとオブジェクト１６０とが重複しても、下層のレイヤーにあるもの（本実施形態においてはオブジェクト１６０）を視認可能である。このため、キー配列をカスタマイズしても入力時の不具合が生じることがなく、高い操作性を確保することができる。なお、上記説明した動作は、キー１５０ａ〜１５０ｌとオブジェクト１６０との重複時だけでなく、移動させたキーが他のキーと重複した場合においても適用することが可能である。
【００３６】
また上述したように移動させたキー１５０ａ〜１５０ｃおよびオブジェクト１６０の互いの表示領域が重なったときに、上層のレイヤーにあるものを透過表示させることにより、表示領域を最大限に有効活用することが可能となる。詳細には、図４（ｂ）に示すように移動させたキー１５０ａ〜１５０ｃまたはオブジェクト１６０のうち上層のレイヤーにあるもの（本実施形態においてはキー１５０ａ〜１５０ｃ）を透過表示させると、所定のキー配列時にキー１５０ａ〜１５０ｃが配置されていた領域は、キーが配置されていない空き領域となる。
【００３７】
そこで、キー１５０ｄ〜１５０ｆを図４（ｃ）に二点鎖線で示す位置までドラッグアンドドロップし、所定のキー配列時にキー１５０ａ〜１５０ｃが配置されていた領域（空き領域）に向かってずらす。これにより、図４（ｄ）に示すように、キー１５０ａ〜１５０ｃとキー１５０ｄ〜１５０ｆとの間隔、およびキー１５０ｄ〜１５０ｆとキー１５０ｇ〜１５０ｉとの間隔を広げることができる。したがって、キーの密集が解消されるため入力操作をより良好に行うことができ、誤入力を防ぐことが可能となる。
【００３８】
（第４実施形態）
図５は、第４実施形態における携帯端末１００の表示画面を例示する図である。第４実施形態では表示部１１２は３Ｄ表示が可能であり、図５（ａ）に示すように、タッチパネルディスプレイ１１０（表示部１１２）ではキーボード１５０が３Ｄ表示されている。このように３Ｄ表示が可能な表示部１１２では、キー１５０ａ〜１５０ｃを図５（ｂ）に二点鎖線で示す位置までドラッグアンドドロップし、移動させたキー１５０ａ〜１５０ｃおよびオブジェクト１６０の互いの表示領域が重なったら、端末制御部１０２は、図５（ｃ）に示すように、移動させたキー１５０ａ〜１５０ｃとオブジェクト１６０を奥行きの異なるレイヤーに配置し、かつ上層のレイヤーにあるもの（本実施形態ではキー１５０ａ〜１５０ｃ）を透過表示させる。
【００３９】
上記構成によれば、上述したようにオブジェクト１６０と移動後のキー１５０ａ〜１５０ｃとが重複しても、それらのうち下層のレイヤーにあるもの本実施形態ではキー１６０）を視認可能となる。またそれに加えて、移動させたキー１５０ａ〜１５０ｃとオブジェクト１６０を奥行きの異なるレイヤーに配置するため、視認性の向上を図ることが可能となる。なお、上記構成においても、図５（ｃ）に示すようにキー１５０ａ〜１５０ｃを移動させたことによって生じた空き領域に、図５（ｄ）に示すようにキー１５０ｄ〜１５０ｆを移動させてもよい。
【００４０】
（第５実施形態）
図６は、第５実施形態における携帯端末１００の表示画面を例示する図である。図６（ａ）に示すように、タッチパネルディスプレイ１１０（表示部１１２）には、複数のキー１７０ａ〜１７０ｌから構成され、いわゆるひらがな入力に用いられるキーボード１７０が表示されている。なお、本実施形態では、図６（ａ）に示す複数のキー１７０ａ〜１７０ｌの配列がキーボード１７０の所定のキー配列（初期値）であると仮定する。
【００４１】
第５実施形態では、キーボード１７０を複数枚のページで構成することができ、かかるキーボード１７０を構成する複数のキー１７０ａ〜１７０ｌを任意のページに移動させることができる。図６（ａ）では、キーボード１７０に加えて、それを構成する複数のキー１７０ａ〜１７０ｌを他のページに移動させる移動枠１７２ａおよび１７２ｂが表示されていて、個々のキー１７０ａ〜１７０ｌをドラッグアンドドロップによって移動枠１７２ａおよび１７２ｂに移動させることにより、個々のキーが他のページに移動される。
【００４２】
詳細には、図６（ａ）に表示されているページは、キーボード１７０を構成する複数のページの１ページ目であり、移動枠１７２ａは、キー１７０ａ〜１７０ｌをキーボード１７０の２ページ目に移動させる移動枠であり、移動枠１７２ｂは、キー１７０ａ〜１７０ｌをキーボード１７０の３ページ目に移動させる移動枠である。例えば、図６（ｂ）に示すように、複数のキー１７０ａ〜１７０ｌのうち、キー１７０ｇをドラッグアンドドロップにより移動枠１７２ａに移動させると（移動時のキー１７０ｇは二点鎖線にて図示）、キー１７０ｇはキーボード１７０の２ページ目に移動する。これにより、図６（ａ）に示すキーボード１７０の１ページ目は、図６（ｃ）に示すようにキー１７０ｇが抜けた状態となる。
【００４３】
図６（ｂ）においてキー１７０ｇを移動させたときと同様に、キー１７０ｈ〜１７０ｌも移動枠１７２ａにドラッグアンドドロップし、キーボード１７０の２ページ目に移動させる。すると、図６（ｄ）に示すように、キーボード１７０の１ページ目には、複数のキー１７０ａ〜１７０ｌのうち、キー１７０ａ〜１７０ｆ（ページ移動させなかったキー）が表示される。一方、図６（ｅ）に示すように、キーボード１７０の２ページ目には、複数のキー１７０ａ〜１７０ｌのうち、移動されたキー１７０ｇ〜１７０ｌが表示される。なお、図６（ｅ）に示すキーボード１７０の２ページ目には、キー１７０ａ〜１７０ｌをキーボード１７０の２ページ目に移動させる移動枠１７２ａに替えて、キー１７０ａ〜１７０ｌをキーボード１７０の１ページ目に移動させる移動枠１７２ｃが表示されている。
【００４４】
上記構成のようにキーボードのキー１７０ａ〜１７０ｌを、所望のページに移動可能であることにより、例えば使用頻度の高いキーを前のページに配置し、使用頻度の低いページを後のページに配置する等、カスタマイズの自由度を高めることが可能である。またキーのページ移動により、１ページ当たりに配置されるキーの数を減らすことができるため、キー間隔を広げたり、個々のキーの大きさを拡大したりする等のアレンジも可能となる。
【００４５】
図７は、キーの配置や大きさのアレンジについて説明する図である。例えば図７（ａ）では、図６（ｄ）に示すキーボード１７０の１ページ目に表示されているキー１７０ａ〜１７０ｆのうち、キー１７０ｄ〜１７０ｆを第３実施形態のように空き領域にずらし、キー１７０ａ〜１７０ｃとキー１７０ｄ〜１７０ｆとの間隔を広げている。図７（ｂ）では、図６（ｄ）に示すキー１７０ａ〜１７０ｆを２行３列の配置に変更し、且つ個々のキー１７０ａ〜１７０ｆを間隔をあけて配置している。図７（ａ）および（ｂ）の構成によれば、キーの密集が解消されるため入力操作をより良好に行うことが可能である。
【００４６】
図７（ｃ）では、図６（ｄ）に示すキー１７０ａ〜１７０ｆの大きさを拡大変更している。キー１７０ａ〜１７０ｆの大きさの変更方法は、例えばピンチアウトやピンチインを挙げることができる。他にも、大きさを変更したいキーを長押し（連続的な押下）し、その長押しの時間に応じて大きさを変更する等の方法であってもよい。また、図７（ａ）や図７（ｂ）のように間隔を広げた場合に、隙間を埋めるように各キーを自動的に拡大してもよい。図７（ｃ）の構成によれば、キーそのものの大きさが拡大されるため、キーをタッチしやすくなり、操作性の向上を図ることができる。
【００４７】
（第６実施形態）
図８は、第６実施形態における携帯端末１００の表示画面を例示する図である。第１実施形態〜第５実施形態では、文字入力に用いられるキーボード１５０および１７０を例示していたのに対し、第６実施形態では、キーボード１８０として、ゲームの操作に用いられるキーパッドを例示して説明する。なお、本実施形態では、図８（ａ）に示す複数のキー１８０ａ〜１８０ｈの配列がキーボード１８０の所定のキー配列（初期値）であると仮定する。
【００４８】
図８（ａ）に示すように、タッチパネルディスプレイ１１０（表示部１１２）には、ゲーム画面（背景）、およびキー１８０ａ〜１８０ｈから構成されてゲームの操作等に用いられるキーボード１８０が表示されている。それらのキー１８０ａ〜１８０ｈのうち、キー１８０ａ〜１８０ｄは、上下左右方向への移動を行うカーソルキーであり、キー１８０ｅ〜１８０ｈはゲームに応じた機能が付与されるファンクションキーである。
【００４９】
本実施形態においても、図８（ａ）のように、例えばキー１８０ｆをタッチパネルディスプレイ１１０（表示部１１２）上の所望の位置（二点鎖線の位置）までドラッグアンドドロップして移動させることにより、キー１８０ｆの位置を変更することができる。同様にして、キー１８０ａ〜１８０ｅやキー１８０ｇ〜１８０ｈも所望の位置に移動させることにより、図８（ｂ）に示すようにキーボード１８０がユーザの好みのキー配列に変更される。
【００５０】
また図８（ａ）および（ｂ）を比較してわかるように、図８（ｂ）ではキー１８０ａ〜１８０ｈが拡大されている。このように、ゲーム用のキーパッドにおいても、第５実施形態において説明したように複数のキー１８０ａ〜１８０ｈの大きさを個々に変更可能であり、これにより操作性の向上を図ることが可能となる。
【００５１】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５２】
本発明は、表示部にタッチセンサを重畳したタッチパネルディスプレイを有するタッチパネル式携帯端末として利用可能である。
【符号の説明】
【００５３】
１００…携帯端末、１０２…制御部、１０４…端末メモリ、１１０…タッチパネルディスプレイ、１１２…表示部、１１４…タッチセンサ、１５０…キーボード、１５０ａ〜１５０ｌ…キー、１６０…オブジェクト、１７０…キーボード、１７０ａ〜１７０ｌ…キー、１７２ａ〜１７２ｃ…移動枠、１８０…キーボード、１８０ａ〜１８０ｈ…キー
【図１】
0005882751.tif 000002
【図２】
0005882751.tif 000003
【図３】
0005882751.tif 000004
【図４】
0005882751.tif 000005
【図５】
0005882751.tif 000006
【図６】
0005882751.tif 000007
【図７】
0005882751.tif 000008
【図８】
0005882751.tif 000009